(57)【特許請求の範囲】
【請求項１】
電動送風機を有する掃除機本体であって、この掃除機本体の一端部に吸塵口部が設けられているとともに、前記掃除機本体の他端部に前記吸塵口部が上方に向く姿勢に前記掃除機本体を支持する支持部が設けられている前記掃除機本体と、塵埃を取込む吸込み口体と、前記掃除機本体と前記吸込み口体とを連通する延長管及び吸塵ホースとを備えた電気掃除機において、
前記掃除機本体の吸塵口部と、前記延長管の一端部と、前記吸塵ホースの一端部とに、連結部が夫々設けられているとともに、前記延長管の他端部と、前記吸塵ホースの他端部と、前記吸込み口体とに、前記各連結部と着脱自在に連結可能な連結受け部が夫々設けられており、
前記掃除機本体が取手を有しているとともに、前記掃除機本体に前記電動送風機を制御する制御部と電気的に接続される本体操作部が設けられており、
前記吸塵ホースの一端部に前記電動送風機を制御する制御部と電気的に接続される手元操作部が設けられているとともに、前記延長管に電動送風機制御用の電線が設けられていて、
前記吸塵口部に前記延長管の他端部を連結するとともに、この延長管の一端部に前記吸塵ホースの他端部を連結し、この吸塵ホースの一端部に前記吸込み口体を連結し、かつ、前記支持部によって前記掃除機本体を立てた状態で使用できるようにしたことを特徴とする電気掃除機。
【請求項２】
前記吸込み口体が電気部品を有しているとともに、前記延長管に前記電気部品に電力を供給する電力線が設けられている請求項１に記載の電気掃除機。
【請求項３】
前記延長管に、前記電気部品に電力を供給する２本の電線が配線されており、これら電線の内の少なくとも一本が前記電動送風機制御用の電線を兼ねている請求項２に記載の電気掃除機。
【発明の詳細な説明】
【０００１】
【発明の属する技術分野】
本発明は、キャニスタ型等の電気掃除機に関する。
【０００２】
【従来の技術】
電気掃除機には、塵埃を吸込むための電動送風機を有する掃除機本体と、塵埃を取込む吸込み口体と、掃除機本体と吸込み口体とを連通するための吸塵ホース及び延長管とを備えたものがある。
【０００３】
一般に、電気掃除機は、掃除機本体に可撓性ホースからなる吸塵ホースの一端部を連結し、この吸塵ホースの他端部に硬質な延長管の一端部を連結し、この延長管の他端部に吸込み口体が連結して使用される。
【０００４】
この電気掃除機は、たんすや棚の上面を清掃する場合等、延長管を取り外し、吸塵ホースの他端部に吸込み口体を連結して使用することも可能である。
【０００５】
【発明が解決しようとする課題】
しかし、従来の電気掃除機において、延長管を取り外し、吸塵ホースの他端部を吸込み口体に連結して使用する場合、床面に置かれた掃除機本体に対する吸込み口体の可動範囲は、吸塵ホースの長さで規定される。そのため、掃除機本体と吸込み口体との間が短く、背が高いたんすや棚の上面等の高所の被清掃面には吸込み口体が届かないことがある。
【０００６】
このような場合、清掃者は掃除機本体を持ち上げ、吸込み口体を被清掃面に近づけながら清掃しなくてはならない不便がある。また、清掃者は一方の手で掃除機本体を持ち上げ、他方の手で吸込み口体を操作するため、掃除作業中は終始両手がふさがった状態となり、掃除の妨げとなる物を動かすことができず不便である。
【０００７】
また、延長管を取付けたまま高所を掃除する場合には、使用者が把持するホースの手元操作部から先の延長管・吸込み口体が重く、やはり不便である。
【０００８】
本発明が解決しようとする課題は、高所を容易に清掃することができる電気掃除機を得ることにある。
【０００９】
【課題を解決するための手段】
前記課題を解決するために、請求項１に係る発明の電気掃除機は、電動送風機を有する掃除機本体であって、この掃除機本体の一端部に吸塵口部が設けられているとともに、前記掃除機本体の他端部に前記吸塵口部が上方に向く姿勢に前記掃除機本体を支持する支持部が設けられている前記掃除機本体と、塵埃を取込む吸込み口体と、前記掃除機本体と前記吸込み口体とを連通する延長管及び吸塵ホースとを備えた電気掃除機において、前記掃除機本体の吸塵口部と、前記延長管の一端部と、前記吸塵ホースの一端部とに、連結部が夫々設けられているとともに、前記延長管の他端部と、前記吸塵ホースの他端部と、前記吸込み口体とに、前記各連結部と着脱自在に連結可能な連結受け部が夫々設けられており、前記掃除機本体が取手を有しているとともに、前記掃除機本体に前記電動送風機を制御する制御部と電気的に接続される本体操作部が設けられており、前記吸塵ホースの一端部に前記電動送風機を制御する制御部と電気的に接続される手元操作部が設けられているとともに、前記延長管に電動送風機制御用の電線が設けられていて、前記吸塵口部に前記延長管の他端部を連結するとともに、この延長管の一端部に前記吸塵ホースの他端部を連結し、この吸塵ホースの一端部に前記吸込み口体を連結し、かつ、前記支持部によって前記掃除機本体を立てた状態で使用できるようにしたことを特徴としている。
【００１０】
この発明では、高所を清掃する場合には、掃除機本体と延長管と吸塵ホースと吸込み口体とを、この記載順序で連結することができる。
【００１１】
【発明の実施の形態】
以下、図１〜図４を参照して本発明の第１の実施形態を説明する。
【００１２】
電気掃除機１ａは、キャニスタ型の使用形態を基本とするもので、掃除機本体２、吸込み口体７、延長管８及び吸塵ホース９を備えている。
【００１３】
掃除機本体２の内部には、図示しないが送風室及びこの送風室の吸込み上流側に位置された集塵室が夫々設けられている。集塵室の開口は、掃除機本体２の一部をなす開閉可能な蓋２ｂによって気密に閉じられており、集塵室には蓋２ｂを開けた状態で出し入れ可能な集塵袋等で形成された集塵フィルタ３が収容されている。送風室には塵埃を吸込むための電動送風機４が収容されている。掃除機本体２の内部には、電動送風機４及び後述する電気部品（清掃体モータ７ｃ）を制御する制御部３３、及び、電源コードを巻取り及び繰出し可能なコードリール（図示せず）が収容されている。
【００１４】
掃除機本体２の外部両側面には、その吸込み下流側の一端側、例えば掃除機本体２の後端側に、一対の移動車輪５が掃除機本体２の後端面及び下面からはみ出して枢支されている。この移動車輪５及び掃除機本体２の前記下面に取付けられた旋回輪５ａにより、掃除機本体２は床面上を自在に移動できる。掃除機本体２の外部上面には、この掃除機本体２を持つための取手２ｄが設けられている。
【００１５】
この掃除機本体２の後端面には、図２に示したように、移動車輪５が掃除機本体２の後端面からはみ出している幅と同程度の空出長さを有する支持部６が設けられている。掃除機本体２は、その前端面に開口される吸塵口部２ａを有している。支持部６と移動車輪５とは、前端の吸塵口部２ａが上方に向く状態で掃除機本体２を立てて支持できる。
【００１６】
吸込み口体７は、その下面に塵埃を取込む吸込み開口（図示せず）を有している。この吸込み口体７には、吸込み開口に臨む回転清掃体７ｂと、電気部品、例えば回転清掃体７ｂを回転駆動する清掃体モータ７ｃとが夫々内蔵されているが、これらは省略してもよい。
【００１７】
延長管８及び吸塵ホース９は、掃除機本体２と吸込み口体７とを連通するために用いられるものである。延長管８は硬質な複数の管８ａ，８ｂを伸縮可能に組み合わせて形成されている。吸塵ホース９は、可撓性ホースからなり、その吸込み上流側の一端部９ｓには、吸塵ホース９に配設された電動送風機制御用の電線（信号線）を介して制御部３３に信号を入力する各種のスイッチを有した手元操作部９ｂ付きのハンドル９ａが設けられている。手元操作部９ｂで入力された信号は、例えば赤外線等により無線で制御部３３に送信されるものであってもよい。
【００１８】
延長管８及び吸塵ホース９には、その長手方向に沿って電線が配線されている。つまり、清掃体モータ７ｃに電力を供給する一対の電力線（図示せず）及び一対の上記信号線（図示せず）が配線されている。なお、これら電線は吸塵ホース９の伸縮及び可撓性を妨げない。延長管８の吸込み下流側の他端部８ｔ及び吸塵ホース９の吸込み下流側の他端部９ｔとは、夫々同じ径に形成されている。
【００１９】
また、掃除機本体２の前端面に設けられた吸塵口部２ａと、延長管８の吸込み上流側の一端部８ｓと、吸塵ホース９の一端部９ｓ（ハンドル９ａの一端部）には、夫々大きさ、形状及び構成が同一の連結部１０が設けられている。一方、延長管８の他端部８ｔ、吸塵ホース９の他端部９ｔ、及び吸込み口体７の接続管部７ａには、夫々連結部１０と着脱自在に連結する同一構成の連結受け部２０が設けられている。
【００２０】
なお、いずれの連結部１０が各連結受け部２０のいずれにも連結される構成であれば、各連結部１０の夫々、各連結受け部２０の夫々は、必ずしも同一の大きさ、形状でなくともよい。
【００２１】
各連結部１０及び連結受け部２０を、吸塵口部２ａに設けた連結部１０と、延長管８の管８ａに設けた連結受け部２０とで代表して説明する。
【００２２】
図３に示すように、連結部１０は、吸塵口部２ａが有する接続円筒部１１と、この筒部１１の外側に設けられたクランプ部１２とを備える。クランプ部１２は、一端側にクランプボタン１３ａを有し、他端部に係止部１３ｂを有し、且つ中間部に軸１５を有したクランプアーム１３と、ばね、例えばコイルばね１４とからなる。クランプアーム１３は軸１５により筒部１１の外側に設けられた図示しない軸受部に回動可能に軸支されていて、クランプボタン１３ａは吸塵口部２ａの外部に突出して外部から押込まれるように設けられている。コイルばね１４は、クランプボタン１３ａに形成された凹みと筒部１１の外面との間に挟んで配置され、クランプアーム１３を図３中時計回りに付勢している。筒部１１にはクランプアーム１３の係止部１３ｂが出し入れされる通孔１１ａが形成されている。
【００２３】
この連結部１０は、コイルばね１４が伸びている状態のとき、クランプアーム１３の係止部１３ｂが筒部１１の内部に突出され、クランプボタン１３ａを押し、コイルばね１４を縮めてクランプアーム１３が回動された時に、係止部１３ｂが筒部１１の外側に出るように形成されている。
【００２４】
一方、連結受け部２０は、連結部１０の筒部１１の内部に挿脱される大きさの筒部２１からなり、この筒部２１の外側面には係止部受けとしての凹部２２が形成されている。この凹部２２に、クランプアーム１３の係止部１３ｂが入り込むことでクランプアーム１３の軸方向及び周方向の動きが制限される。なお、筒部２１の先端部外側面には、連結部１０と連結受け部２０との間を気密に保つためのシール材２３が設けられている。また、図示していないが、連結部１０と連結受け部２０には、前記電線の端末部が接続された電気コネクタが夫々設けられており、連結部１０と連結受け部２０とが連結されると、双方の電気コネクタも同時に接続される。
【００２５】
連結部１０と連結受け部２０は、連結受け部２０の筒部２１を連結部１０の筒部１１に嵌入し、凹部２２に、クランプアーム１３の係止部１３ｂを入り込ませることで、連結受け部２０の動きを制限して連結される。また、クランプボタン１３ａを押して、クランプアーム１３の係止部１３ｂを凹部２２から出した状態で、連結受け部２０の筒部２１を連結部１０の筒部１１から引き抜くことで、連結部１０が連結受け部２０から脱着される。
【００２６】
前記構成を備える電気掃除機１ａを用いてたんすや棚の上面等の高所の被清掃面を清掃する場合、以下のようにして行なう。
【００２７】
図１に示すように、掃除機本体２の連結部１０と延長管８の他端部８ｔの連結受け部２０、延長管８の一端部８ｓの連結部１０と吸塵ホース９他端部９ｔの連結受け部２０、及び吸塵ホース９の一端部９ｓの連結部１０と吸込み口体７の連結受け部２０とを夫々連結する。このとき、掃除機本体２と延長管８と吸塵ホース９と吸込み口体７とは電線を介して夫々電気的に接続されて、手元操作部９ｂと制御部３３とが接続され、清掃体モータ７ｃと電源とが接続される。
【００２８】
支持部６と移動車輪５とにより、その前端側を上方に向けた状態で掃除機本体２を床面上に支持させる。掃除機本体２から電源コードを引き出して商用交流電源に接続し、電動送風機４、ハンドル９ａの手元操作部９ｂ、及び吸込み口体７の回転清掃体７ｂを回転駆動する清掃体モータ７ｃ等に夫々電力を供給する。その後、手元操作部９ｂを操作して電動送風機４を駆動させる。
【００２９】
電動送風機４が駆動すると、この電動送風機４に吸込まれる気流が形成される。ハンドル９ａを操作して吸込み口体７を高所の清掃面に接触させ、吸込み口体７の吸塵口から被清掃面の塵を空気とともに取り込んで、それを吸塵ホース９及び延長管８で掃除機本体２の集塵室に導き、この集塵室内の集塵フィルタ３で前記塵を捕捉できる。集塵室の集塵フィルタ３を通過した空気は、電動送風機４に吸込まれてこの送風機４から排出された後、掃除機本体２に設けた排気口（図示せず）を通して掃除機本体２の外部に排出される。また、回転清掃体７ｂは、電動送風機４の駆動中に手元操作部９ｂを操作することで適宜動作させることができる。以上により高所の被清掃面を掃除できる。
【００３０】
上記のように、この電気掃除機１ａは、掃除機本体２の吸込み上流側の吸塵口部２ａ、延長管８の一端部８ｓ、及び吸塵ホース９の一端部９ｓに夫々同一の連結部１０を設け、延長管８の他端部８ｔ、吸塵ホース９の他端部９ｔ、及び吸込み口体７に夫々連結部１０と着脱自在に連結する連結受け部２０を設けているため、掃除機本体２と延長管８と吸塵ホース９と吸込み口体７とを、この順序で連結して図１に示す状態で使用できる。そのため、この電気掃除機１ａでは、吸塵ホース９の他端部９ｔを吸込み口体７と連結して使用する電気掃除機１ａと比べて、掃除機本体２と吸込み口体７との間が延長管８の長さ分だけ長くなる。このため、可撓性の吸塵ホース９と連結している吸込み口体７を被清掃面に接触させることが容易である。したがって、この電気掃除機１ａでは、掃除機本体２を持ち上げることなく高所を容易に清掃することができる。
【００３１】
この時、電気掃除機１ａの掃除機本体２は支持部６によって立てられているため、掃除機本体２を安定した状態で立てて、前記高所の掃除ができる。
【００３２】
この電気掃除機１ａは、掃除機本体２、延長管８、及び吸塵ホース９に夫々設けられた連結部１０が同一であり、延長管８、吸塵ホース９、及び吸込み口体７に夫々設けられた連結受け部２０は前記連結部１０と着脱自在に連結できる。そのため、例えば、図４（Ａ）に示したように、掃除機本体２と吸塵ホース９と延長管８と吸込み口体７とをこの順序で連結して、床面掃除に適した状態で使用できる。それ以外に、図４（Ｂ）に示したように、延長管８を取り外し、掃除機本体２と吸塵ホース９と吸込み口体７とをこの順序で連結して、低所の掃除に適した状態で使用することもできる。
【００３３】
さらに、この電気掃除機１ａでは、吸塵ホース９の一端部９ｓに、制御部３３に信号を入力する手元操作部９ｂが設けられているため、ハンドル９ａを操作しながら信号を制御部３３に入力できる。したがって、図１、図４（Ａ）及び（Ｂ）の使用形態において、電動送風機４及び清掃体モータ７ｃの動作を手元で制御しながら清掃することができる。
【００３４】
以下、図５〜図９を参照して本発明の第２の実施形態を説明する。
【００３５】
このコードレス式の電気掃除機１ｂは、掃除機本体２、吸込み口体７、延長管８及び吸塵ホース９を備えている。
【００３６】
電動送風機４を収容している送風室の吸込み上流側には、取手３ｂ付きの集塵カップ３ａが取り外し可能に設けられている（図６参照）。この集塵カップ３ａの内部はサイクロン分離室となっている。すなわち、集塵カップ３ａは、吸込み口体７から吸込まれた塵埃をサイクロン式に分離し、分離された塵埃を内部に溜める。
【００３７】
掃除機本体２の内部には、充電可能な電池パック（図示せず）が取り外し可能に収容されている。この掃除機本体２は、図６に示したように、掃除機本体２の後端面からなる支持部２ｅと移動車輪５とにより、前端の吸塵口部２ａが上方に向く状態で掃除機本体２を立てて支持できる。
【００３８】
掃除機本体２の外部上面には、この掃除機本体２を持つための取手２ｄが設けられている。この取手２ｄには、図５及び図６等に示したように、制御部３３に各種の信号を入力するスイッチを有した本体操作部２ｃが設けられている。本体操作部２ｃは手元操作部９ｂと同様に、電動送風機４の起動、停止、及び強弱運転、並びに電気部品（直流電源で駆動される清掃体モータ７ｃ）の起動、停止等を行なわせるための信号を制御部３３に入力できる。
【００３９】
延長管８の管８ａ，８ｂは夫々、図７に示したように、管本体３０とカバー３１とを備えている。管本体３０には、その長手方向に沿って３つの溝３０ａが形成されている。管本体３０には、これら溝３０ａに沿って、清掃体モータ７ｃに電力を供給する一対の電力線３２ａ，３２ｃ、及び、手元操作部９ｂから入力された信号を制御部３３に伝達する信号線３２ｂが夫々配線されている。カバー３１は管本体３０の外側から溝３０ａ及び信号線３２ｂを覆って設けられている。この延長管８は、縮めた状態でも伸ばした状態でも管８ａの電力線３２ａ，３２ｃ及び信号線３２ｂと、管８ｂの電力線３２ａ，３２ｃ及び信号線３２ｂとが図示しない電気コネクタを介して夫々接続するように形成されている。
【００４０】
吸塵ホース９にもまた、その長手方向に沿って、一対の電力線３２ａ，３２ｃ及び信号線３２ｂが配線されている。これら電力線３２ａ，３２ｃ及び信号線３２ｂは吸塵ホース９の伸縮及び可撓性を妨げない。
【００４１】
ところで、信号線３２ｂは電力線３２ａ，３２ｃ同様、通常２本必要である。この電気掃除機１ｂでは、清掃体モータ７ｃへ供給する直流電圧のグランド線と信号線のグランド線とを共通にすることにより、電力線３２ａ，３２ｃのうちの一方、例えば電力線３２ａを介して、本体操作部２ｃ或いは手元操作部９ｂから入力された信号を制御部３３に伝達するとともに、制御部３３から清掃体モータ７ｃに信号を伝達している。つまり、一方の電力線３２ａに２本目の信号線の機能を兼ね備えさせている。なお、他の構成は上述した第１の実施形態と同じであるから、重複する構成は図５〜図１０に第１の実施形態と同符号を付してその説明を省略する。
【００４２】
前記構成を備える電気掃除機１ｂを用いてたんすや棚の上面等の高所の被清掃面を清掃する場合、以下のようにして行なう。
【００４３】
図５に示すように、掃除機本体２の連結部１０と延長管８の他端部８ｔの連結受け部２０、延長管８の一端部８ｓの連結部１０と吸塵ホース９他端部９ｔの連結受け部２０、及び吸塵ホース９の一端部９ｓの連結部１０と吸込み口体７の連結受け部２０とを夫々連結する。このとき、掃除機本体２と延長管８と吸塵ホース９と吸込み口体７とは電力線３２ａ，３２ｃ及び信号線３２ｂを介して夫々電気的に接続される。
【００４４】
この接続状態で、延長管８が立つように掃除機本体２をその前端側が上方に向く姿勢で床面上に支持させる。本体操作部２ｃまたは手元操作部９ｂを操作することにより、信号を信号線３２ｂ及び電力線３２ａを介して制御部３３に入力して、この制御部３３により電動送風機を駆動させる。この時、前記入力に応じて、必要により清掃体モータ７ｃが制御部３３により駆動させられる。
【００４５】
電動送風機４が駆動すると、この電動送風機４に吸込まれる気流が形成される。ハンドル９ａを操作して吸込み口体７を高所の清掃面に接触させ、吸込み口体７の吸塵口から被清掃面の塵を空気とともに取り込んで、それを吸塵ホース９及び延長管８で掃除機本体２の集塵カップ３ａに導く。集塵カップ３ａに流入した気流は、旋回しながら流れ、その後、集塵カップ３ａ内の中央部を通って通り抜ける。これにより、気流中に含まれた塵埃がサイクロン式に分離されて集塵カップ３ａ内に溜められ、空気は集塵カップａから排出される。集塵カップ３ａから排出された空気は、電動送風機４に吸込まれてこの送風機４から排出された後、掃除機本体２に設けた排気口を通して掃除機本体２の外部に排出される。電動送風機４の駆動中に清掃体モータ７ｃを運転させることにより、回転清掃体７ｂを回転させながら高所の被清掃面を掃除できる。
【００４６】
また、この電気掃除機１ｂは、例えば、図８に示したように、掃除機本体２と吸塵ホース９と延長管８と吸込み口体７とをこの順序で連結して、床面掃除に適したキャニスタ型の使用形態とすることもできる。また、図示しないが、延長管８を取り外し、掃除機本体２と吸塵ホース９と吸込み口体７とをこの順序で連結して、例えば低所の掃除に適した状態で使用することもできる。
【００４７】
以上のように、この電気掃除機１ｂでは、第１の実施形態と同様の効果を得ることができる。
【００４８】
また、この電気掃除機１ｂは、掃除機本体２に制御部３３に信号を入力する本体操作部２ｃが設けられているため、手元操作部９ｂを有する吸塵ホース９を外して使用できる。
【００４９】
すなわち、例えば延長管８及び吸塵ホース９を取り外し、図９に示したように、掃除機本体２の吸塵口部２ａに吸込み口体７を直接連結して、掃除機本体２の取手２ｄを持ちながら掃除するのに適したハンディ型の使用形態とできる。
【００５０】
さらに、図１０に示したスティック型の使用形態とすることもできる。詳しくは、掃除機本体２と延長管８と吸込み口体７とをこの記載順序で連結して、掃除機本体２を持って使用できる。この場合、掃除機本体２の取手２ｄを手に持ち、立ち上がった状態で床面を掃除するのに適する。さらに、この電気掃除機１ｂは、延長管８の一端部８ｓから他端部８ｔにわたって、信号線３２ｂ及び信号線の機能を兼ね備える電力線３２ａが配線されている。そのため、掃除機本体２に設けられた制御部３３は、スティック型の使用形態において必要により、信号線３２ｂ及び信号線の機能を兼ね備える電力線３２ａを介して、吸込み口体７に設けられた清掃体モータ７ｃに動作させることができる。また、第２使用形態でも、回転清掃体７ｂを任意に回転させることができる。
【００５１】
このように、第２の実施の形態によれば、キャニスタ型、ハンディ型、スティック型の任意の使い方を選択でき、利便性を高めることができる。しかも、いずれの使用形態においても吸込み口体７の電動部を駆動できるので、清掃能力が高いものとすることができる。
【００５２】
また、この電気掃除機１ｂでは、電力線３２ａが信号線の機能を兼ね備えているため、２本の電力線３２ａ，３２ｃとは別に信号線を２本配線する場合と比べて、延長管８の太さを小さくすることができるとともに、延長管８を軽量化することができる。
【００５３】
なお、この第２の実施形態では、電力線３２ａのみが信号線の機能を兼ね備えているが、これに代えて電力線３２ａ，３２ｃの夫々に信号線の機能を兼ね備えさせることで、延長管８及び吸塵ホース９に配線される電線の総数を２本にまで減らすことができる。
【００５４】
【発明の効果】
本発明によれば、掃除機本体を持ち上げることなく高所を容易に清掃することができる。
【図面の簡単な説明】
【図１】本発明の第１の実施形態に係る電気掃除機全体を高所掃除に適した使用形態で示す斜視図。
【図２】図１の電気掃除機の掃除機本体の後部の側面図。
【図３】図１の電気掃除機の連結部と連結受け部とを連結した状態で示す断面図。
【図４】（Ａ）は図１の電気掃除機を通常の床面掃除に適した使用形態で示す斜視図。（Ｂ）は図１の電気掃除機を他の使用形態で示す斜視図。
【図５】本発明の第２の実施形態に係る電気掃除機全体を高所掃除に適した使用形態で示す斜視図。
【図６】図５の電気掃除機の掃除機本体を一部切り欠いて示す側面図。
【図７】図５の電気掃除機の延長管を示す断面図。
【図８】図５の電気掃除機をキャニスタ型の使用形態で示す斜視図。
【図９】図５の電気掃除機をハンディ型の使用形態で示す側面図。
【図１０】図５の電気掃除機をスティック型の使用形態で示す斜視図。
【符号の説明】
１ａ，１ｂ…電気掃除機
２…掃除機本体
２ａ…吸塵口部
２ｃ…本体操作部
２ｄ…取手
４…電動送風機
６，２ｅ…支持部
７…吸込み口部
７ｃ…電気部品（清掃体モータ）
８…延長管
８ｓ…延長管の一端部
８ｔ…延長管の他端部
９…吸塵ホース
９ｂ…手元操作部
９ｓ…吸塵ホースの一端部
９ｔ…吸塵ホースの他端部
１０…連結部
２０…連結受け部
３２ａ，３２ｃ…電力線
３２ｂ…信号線
３３…制御部
【図１】
0004128809.tif 000002
【図２】
0004128809.tif 000003
【図３】
0004128809.tif 000004
【図４】
0004128809.tif 000005
【図５】
0004128809.tif 000006
【図６】
0004128809.tif 000007
【図７】
0004128809.tif 000008
【図８】
0004128809.tif 000009
【図９】
0004128809.tif 000010
【図１０】
0004128809.tif 000011